(57)【要約】【課題】  Ｗｅｂページコンテンツの閲覧者がＷｅｂページコンテンツ、したがってその提供者をポイント数で評価する。【解決手段】  コンテンツ提供者１は、Ｗｅｂページコンテンツ提供ページ内にＷｅｂページコンテンツ評価ポイント欄５，６と持ち点数を設け、作成したＷｅｂページコンテンツ３，４をサービス提供事業者１５のＷｅｂサーバ１６に配信する。Ｗｅｂサーバ１６は、Ｗｅｂページコンテンツ３，４を受信してＩＰ通信網２１上に公開する。コンテンツ閲覧者８，１３はＷｅｂページコンテンツを評価し、コンテンツ画面上に持ち点数内で評価ポイント数を入力してＷｅｂサーバ１６に配信する。コンテンツ評価結果集積装置１７は、閲覧者８，１３のＷｅｂページコンテンツ評価ポイント数を集計する。サービス提供事業者１５は、評価ポイント数の高いＷｅｂページコンテンツ提供者１には使用料金の割引サービスの特典を提供する。【選択図】  図１
2005258550.tif 000002
【特許請求の範囲】
【請求項１】
インターネットにおけるＷｅｂページコンテンツの提供者を評価するＷｅｂページコンテンツ提供者評価方法であって、
コンテンツ提供者情報通信端末から、評価ポイントを入力するＷｅｂページコンテンツ評価欄を有し、持ち点数が設定されたＷｅｂページコンテンツをサービス提供事業者のＷｅｂサーバにＩＰ通信網を介して送信するステップと、
前記Ｗｅｂサーバが前記Ｗｅｂページコンテンツを受信して前記ＩＰ通信網に公開するステップと、
前記Ｗｅｂページコンテンツの閲覧者が該Ｗｅｂページコンテンツを評価して前記Ｗｅｂページコンテンツ評価欄に入力した評価ポイントを前記ＩＰ通信網を介して前記サービス提供事業者のＷｅｂサーバに送信するステップと、
コンテンツ評価結果集積装置が、送信された評価ポイントを前記Ｗｅｂページコンテンツ毎に集計するステップと、
課金処理サーバが、評価ポイントの高いＷｅｂページコンテンツの提供者に割引サービスの特典を提供するステップと
を有するＷｅｂページコンテンツ提供者の評価方法。
【請求項２】
前記の評価ポイントを集計するステップにおいて、前記評価ポイントが、当該Ｗｅｂページコンテンツ閲覧者の持ち点数を越えていた場合、該評価ポイントを集計から除外する、請求項１に記載のＷｅｂページコンテンツ評価方法。
【請求項３】
Ｗｅｂサーバから受信した、Ｗｅｂページコンテンツ提供者のＵＲＬを登録し、ＨＴＭＬファイル名を設定する手段と、
前記Ｗｅｂページコンテンツの閲覧者が、コンテンツ提供者によって送信され、ＷｅｂサーバによってＩＰ網に公開されたＷｅｂページコンテンツを評価して送信した評価ポイントを受信し、蓄積する手段と、
前記評価ポイントをＷｅｂページコンテンツ毎に集計し、評価ポイントの高いＷｅｂページコンテンツの提供者を選出する手段と、
前記評価ポイントの高いＷｅｂページコンテンツの提供者の端末にアクセスする手段と、
該課金処理サーバにアクセスし、コンテンツ提供者に割引サービスの特典を提供させる手段と
を有するコンテンツ評価結果集積装置。
【発明の詳細な説明】
【技術分野】
【０００１】
本発明は、インターネットにおけるＷｅｂページコンテンツ提供者の評価方法に関する。
【背景技術】
【０００２】
現在、インターネットの急速な普及に伴い、ＩＳＰ（：Ｉｎｔｅｒｎｅｔ  Ｓｅｒｖｉｃｅ  Ｐｒｏｖｉｄｅｒ）と契約してホームページを作成し、好みのテキスト情報や画像と映像情報などのＷｅｂページコンテンツを提供するコンテンツ提供者が多くなってきている。この場合、コンテンツ提供者がホームページで複数のコンテンツを作成し、ＩＳＰを経由してインターネットに公開したＷｅｂページコンテンツへのアクセス数やリンク数を把握することが可能である。しかし、コンテンツ提供者のＷｅｂページコンテンツ画面を見た閲覧者から、Ｗｅｂページコンテンツに関してポイント数で評価されることはなかった。また、コンテンツ提供者は、複数のコンテンツ閲覧者が見てＷｅｂページコンテンツ提供が有益な情報提供で参考になったのかならなかったのかを判断することもできなかった。
【０００３】
Ｗｅｂページコンテンツの閲覧者が評価しポイントを入力し、ポイントが高かったコンテンツ提供者に対して、ＩＳＰの料金割引サービスポイントなど特典を与えたりすることができなかった。
【０００４】
類似技術として、特許文献１「ホームページ管理装置及び方法並びにホームページ評価装置及び記録媒体」があるが、これはサービス提供事業者が管理しているホームページのうち、好ましくないＵＲＬ（Ｕｎｉｆｏｒｍ  Ｒｅｓｏｕｒｃｅ  Ｌｏｃａｔｏｒ）を自動的に抽出し、これに対するアクセスを禁止するものである。これによりＩＳＰの監視負担を軽減するとともに、サービス品質を下げることなくホームページを提供することができる。
【０００５】
また、特許文献２「ホームページ支持者配当算出方法および装置」は、広告費の一環としてホームページの支持者に対して配当を提供することで、ホームページの支持者を集めることを目的とするとともに、支持者の数を調整することで複数のホームページ間での人気の調整を行うものである。
【特許文献１】特開２００２−１３２９７６号公報
【特許文献２】特開２００２−１２３６６３号公報
【発明の開示】
【発明が解決しようとする課題】
【０００６】
本発明の目的は、Ｗｅｂページコンテンツの閲覧者がＷｅｂページコンテンツ、したがってその提供者をポイント数で評価する、Ｗｅｂページコンテンツ提供者の評価方法およびコンテンツ評価結果集積装置を提供することにある。
【課題を解決するための手段】
【０００７】
本発明のＷｅｂページコンテンツ提供者の評価方法は、
コンテンツ提供者情報通信端末から、評価ポイントを入力するＷｅｂページコンテンツ評価欄を有し、持ち点数が設定されたＷｅｂページコンテンツをサービス提供事業者のＷｅｂサーバにＩＰ通信網を介して送信するステップと、
前記Ｗｅｂサーバが前記Ｗｅｂページコンテンツを受信して前記ＩＰ通信網に公開するステップと、
前記Ｗｅｂページコンテンツの閲覧者が該Ｗｅｂページコンテンツを評価して前記Ｗｅｂページコンテンツ評価欄に入力した評価ポイントを前記ＩＰ通信網を介して前記サービス提供事業者のＷｅｂサーバに送信するステップと、
コンテンツ評価結果集積装置が、送信された評価ポイントを前記Ｗｅｂページコンテンツ毎に集計するステップと、
課金処理サーバが、評価ポイントの高いＷｅｂページコンテンツの提供者に割引サービスの特典を提供するステップを有する。
【０００８】
また、本発明のコンテンツ評価結果集積装置は、
Ｗｅｂサーバから受信した、Ｗｅｂページコンテンツ提供者のＵＲＬを登録し、ＨＴＭＬファイル名を設定する手段と、
前記Ｗｅｂページコンテンツの閲覧者が、コンテンツ提供者によって送信され、ＷｅｂサーバによってＩＰ網に公開されたＷｅｂページコンテンツを評価して送信した評価ポイントを受信し、蓄積する手段と、
前記評価ポイントをＷｅｂページコンテンツ毎に集計し、評価ポイントの高いＷｅｂページコンテンツの提供者を選出する手段と、
前記評価ポイントの高いＷｅｂページコンテンツの提供者の端末にアクセスする手段と、
課金処理サーバにアクセスし、該コンテンツ提供者に割引サービスの特典を提供させる手段を有する。
【０００９】
各Ｗｅｂページコンテンツ提供者はＷｅｂページコンテンツのページ内にコンテンツ閲覧者が該Ｗｅｂページコンテンツを評価したポイント数を入力するＷｅｂページコンテンツ評価欄と持ち点数を設けてサービス提供事業者のＷｅｂサーバに送信する。コンテンツ閲覧者は、ＩＰ通信網上で公開されたＷｅｂページコンテンツを閲覧し、参考となり好評の場合に、Ｗｅｂページ上にある持ち点数の範囲内で評価ポイントを入力しＷｅｂサーバに送信する。サービス提供事業者は、Ｗｅｂサーバとコンテンツ評価結果集積装置を有しており、コンテンツ評価結果集積装置は、各コンテンツ閲覧者からの評価ポイントをコンテンツ毎に集計して蓄積する。そして、評価ポイント数の高いコンテンツ提供者には料金割引サービスの特典などを提供する。
【発明の効果】
【００１０】
・各Ｗｅｂページコンテンツ提供者は、複数のコンテンツ閲覧者からＷｅｂページコンテンツ情報がポイント数で評価されることにより、さらに良いコンテンツ提供情報をする意欲と向上が出てくる。
・各Ｗｅｂページコンテンツ提供者は、Ｗｅｂページコンテンツ提供が高いポイント数で評価されたときには、サービス提供事業者の使用料金割引サービスなどの特典を受けることができる。
・ＩＳＰなどのサービス提供事業者は、複数のコンテンツ閲覧者評価ポイント数で料金割引サービスなどを実施することにより、多くのコンテンツ提供利用者を獲得することが可能であり、収益を上げることができる。
・サービス提供事業者は、複数のコンテンツ閲覧者からの評価ポイント数を収集することにより、コンテンツ評価結果集積装置から最近の人気のあるコンテンツ動向と市場動向をリアルタイムに把握することが可能であり、またコンテンツデータを市場調査として活用ができる。
・各コンテンツ閲覧者は、Ｗｅｂページコンテンツに評価ポイントを与えることにより、コンテンツ提供者からさらに良いコンテンツ情報提供のＷｅｂページが増えて、評価されないＷｅｂページが減ることにより、コンテンツを閲覧する楽しみと回数が増えてくる。
【発明を実施するための最良の形態】
【００１１】
次に、本発明の実施の形態について図面を参照して説明する。
【００１２】
図１は本発明の一実施形態のＷｅｂページコンテンツ提供者評価システムの構成図である。
【００１３】
本Ｗｅｂページコンテンツ提供者評価システムは、Ｗｅｂページコンテンツ提供者１（以下、コンテンツ提供者１）の情報通信端末２、移動情報通信端末７と、コンテンツ閲覧者８の情報通信端末９、携帯電話１０、ＰＤＡ（Ｐｅｒｓｏｎａｌ  Ｄｉｇｉｔａｌ  Ａｓｓｉｓｔａｎｔｓ）１１、移動情報通信端末１２と、コンテンツ閲覧者１３の情報通信端末１４と、サービス事業者１５のＷｅｂサーバ１６と、コンテンツ評価結果集積装置１７と、ＤＢ１８と、課金処理サーバ１９と、アクセスライン網２０と、ＩＰ通信網２１と、移動通信網２２と、ゲートウェイ２３で構成されている。
【００１４】
コンテンツ提供者１は、情報通信端末２あるいは移動情報通信端末７でＩＳＰなどサービス提供事業者１５のホームページを表示し、認証ＩＤとＷｅｂアカウントとＷｅｂパスワードなど入力してＷｅｂページ公開の申し込みをして登録を完了する。
【００１５】
Ｗｅｂページコンテンツ３，４は、テキストとグラフィックスや写真などの静止画像と動画映像などのコンテンツであり、かつテキストデータであるＨＴＭＬ（Ｈｙｐｅｒ  Ｔｅｘｔ  Ｍａｒｋｕｐ  Ｌａｎｇｕａｇｅ）で作成され、ＷｅｂページはＷＷＷ（Ｗｏｒｌｄ  Ｗｉｄｅ  Ｗｅｂ）のインターネットサービスを利用して見ることができる情報である。
【００１６】
また、サービス提供事業者１５は、複数のＩＳＰあるいはコンテンツ事業サービスに対応できる技術と設備を有するサービス提供事業者である。
【００１７】
コンテンツ提供者１は、テキスト、画像、および映像などのＷｅｂページコンテンツ３，４を作成するＷｅｂページコンテンツ画面内に、コンテンツ閲覧者８あるいは１３がコンテンツの評価をする評価ポイント数が入力できるＷｅｂページコンテンツ欄５，６とコンテンツ閲覧者８，１３の持ち点数（例えば最大で１０ポイントなど）を作成する。作成されたＷｅｂコンテンツ３，４は、情報通信端末２あるいは携帯電話およびＰＤＡなどの移動情報通信端末７でサービス提供者１５のＷｅｂサーバ１６に送信される。
【００１８】
サービス提供事業者１５のＷｅｂサーバ１６は、Ｗｅｂページコンテンツ３，４を受信し、ＩＰ通信網（インターネット）２１上にＷｅｂコンテンツ３，４を公開する。Ｗｅｂサーバ１６と接続されているコンテンツ評価結果集積装置１７は、受信したＵＲＬとＨＴＭＬファイル名をコンテンツ提供者ＵＲＬ登録・ＨＴＭＬファイル名設定部２４により、ＤＢ１８に登録、蓄積する。
【００１９】
コンテンツ評価結果集積装置１７にはＤＢ１８と課金処理サーバ１９が接続されている。本例では、コンテンツ評価結果集積装置１７とＷｅｂサーバ１６は分離しているが、Ｗｅｂサーバ１６を含めた一体のコンテンツ評価結果集積装置１７にすることも可能である。
【００２０】
本実施形態では、コンテンツ閲覧者８，１３が、Ｗｅｂページコンテンツ３，４を閲覧して、非常に参考になり、またコンテンツレベルの高い良いＷｅｂページコンテンツ３，４に対しては、Ｗｅｂページコンテンツ３，４の画面上に記載してあるＷｅｂページコンテンツ評価欄５，６に持ち点数の範囲内でコンテンツ評価ポイントを入力し、情報通信端末９，１４からＷｅｂサーバ１６に送信することができる。例えば記載している持ち点数が１０ポイントであれば評価点４ポイントをＷｅｂページコンテンツ評価ポイント欄５，６に入力し、残りの６ポイントは別のＷｅｂページに有効として利用することができる。また、あまり良くないＷｅｂページコンテンツ画面の場合には、Ｗｅｂページコンテンツ評価ポイント欄５，６には評価ポイント数を書き入れる必要が無く、コンテンツの評価は閲覧者８，１３の自由である。
【００２１】
サービス提供事業者１５のＷｅｂサーバ１６は、コンテンツ提供者１のＷｅｂページコンテンツ３，４を受信し、ＩＰ通信網２１上に公開し、接続されているコンテンツ評価結果集積装置１７にＵＲＬとＨＴＭＬファイル名を送信する。コンテンツ評価結果集積装置１７は、コンテンツ評価者ＵＲＬ登録・ＨＴＭＬファイル名設定部２４により複数のコンテンツ提供者のＵＲＬとＨＴＭＬファイル名をＤＢ１８に登録、設定し、コンテンツ評価ポイント集計部２５で一定期間ごと、かつＷｅｂページコンテンツ毎にコンテンツ閲覧者８，１３の評価ポイントを集計して評価ポイント数を算出し、評価ポイントの高いＷｅｂページコンテンツ順にＤＢ１８に保存する。また、ある一定期間ごとに、評価ポイントの高いＷｅｂページコンテンツ５，６のコンテンツ提供者１に、使用料金の割引サービスのポイント数を配信する。
【００２２】
コンテンツ提供者１は、閲覧者８，１３からＷｅｂページコンテンツ３，４を評価され、評価の高いコンテンツには料金割引サービスを受け、コンテンツ提供向上を図ることができる。
【００２３】
図２はコンテンツ評価結果集積装置１７の構成を示す図である。
【００２４】
コンテンツ評価結果集積装置１７は、コンテンツ提供者ＵＲＬ登録・ＨＴＭＬファイル名設定部２４と、コンテンツ評価ポイント集計部２５と、コンテンツ評価部２６と、評価ポイント配信部２７と、課金処理アクセス部２８とを含む。コンテンツ提供者ＵＲＬ登録・ＨＴＭＬファイル設定部２４は、Ｗｅｂサーバ１６から受信したコンテンツ提供者１および複数のＵＲＬ、例えばｈｔｔｐ：／／ｗｗｗ．ｘｘｘｘ．ｃｏ．ｊｐ／ｙｙｙなどのＵＲＬとＨＴＭＬファイル名とをＤＢ１８に設定、登録する。コンテンツ評価ポイント集計部２５は、複数のコンテンツ閲覧者８，１３の一定期間のコンテンツ評価ポイントをＷｅｂページコンテンツ毎に集計し、また各閲覧者８，１３の持ち点数と評価ポイント数を合算する。コンテンツ評価部２６は、各ＷＥＢページコンテンツの評価ポイントを集計した結果、ポイント数の高いＷｅｂページコンテンツを提供したコンテンツ提供者を選出する。評価ポイント配信部２７は、評価ポイント数の高いコンテンツの提供者１にＷｅｂサーバ１６を経由してアクセスし、評価ポイント数を通知する。課金処理アクセス部２８は、課金処理サーバ１９にアクセスし、評価ポイントの高いコンテンツ提供者１に使用料金などの割引サービスを依頼する。
【００２５】
コンテンツ評価ポイント集計部２５によるコンテンツ提供者１の評価ポイントの収集、集計は、毎月あるいは２〜３ヶ月ごとに定めて定期的に行う。この一定期間を過ぎたところで閲覧者８，１３の持ち点数は新しくなり、評価ポイント数は０となる。また、コンテンツ提供者１自身のＷｅｂページにコンテンツ提供者１自身が評価ポイントを入力しているコンテンツの場合と、コンテンツ閲覧者８，１３がコンテンツ評価の持ち点数を超えて評価ポイント数を入力している場合には評価ポイントを収集しない。
【００２６】
コンテンツ提供者１は、Ｗｅｂページコンテンツ３，４を作成するＷｅｂページコンテンツ画面３，４内にコンテンツ閲覧者８，１３がコンテンツの評価をする評価ポイント点数が入力できるＷｅｂページコンテンツ欄５，６を作成し、持ちポイント数を与えてこれに記載する。高いコンテンツ評価ポイント数で複数のコンテンツ閲覧者８，１３から評価された場合には、サービス提供事業者１５の使用料金などの割引サービスを受けることが可能であり、コンテンツ閲覧者８，１３の高い評価ポイントによって、さらに良いコンテンツ作成と情報提供の意欲が湧いてＷｅｂページコンテンツ情報提供の向上が図れる。
【００２７】
コンテンツ提供者１は、携帯電話およびＰＤＡなど移動情報通信端末７でＷｅｂページコンテンツ３，４を作成し、移動通信網２２のゲートウェイ２３を経由し、送信することもできる。また、閲覧者８，１３も携帯電話１０あるいはＰＤＡ１１など移動情報通信端末１２から閲覧することができる。
【００２８】
サービス提供事業者１５は、コンテンツ評価結果集積装置１７においてＵＲＬ登録とＨＴＭＬファイル名をＤＢ１８に登録して、複数のコンテンツ閲覧者８，１３からのコンテンツ評価ポイントを定期的に集計して、評価ポイント数の高いＷｅｂページコンテンツの提供者１に対して、評価ポイントの使用支払い料金の割引サービスを行うことにより、さらに複数のコンテンツ提供者の増加を図ることが可能である。また、コンテンツ閲覧者８，１３の評価ポイントから人気のあるＷｅｂページコンテンツ動向と、Ｗｅｂページコンテンツの市場動向がリアルタイムに把握することが可能である。また、定期的にＷｅｂページコンテンツの市場動向とコンテンツデータ集計を把握することにより、市場調査として活用ができ、市場調査サービスの提供が可能である。
【００２９】
図３は、本実施形態の動作を示すフローチャート図である。
【００３０】
コンテンツ提供者１は、Ｗｅｂページコンテンツ３，４内にＷｅｂページコンテンツ評価ポイント欄５，６と持ち点数を設定し、Ｗｅｂページコンテンツ３，４を配信する（ステップ１０１）。サービス提供事業者１５のＷｅｂサーバ１６はＷｅｂページコンテンツ３，４を受信し、ＩＰ通信網２１上に公開し、コンテンツ評価結果集積装置１７に送信する（ステップ１０２）。コンテンツ閲覧者８，１３は、Ｗｅｂページコンテンツ３，４を閲覧し、良い参考になるコンテンツに対して、持ち点数の範囲からＷｅｂページコンテンツ評価ポイント欄５，６に評価ポイントを入力し配信する（ステップ１０３）。コンテンツ評価結果集積装置１７は、コンテンツ閲覧者８，１３の評価ポイント数をＷｅｂページコンテンツ３，４毎に集計して（ステップ１０４）、高い評価ポイントのＷｅｂページコンテンツのコンテンツ提供者１を選出し、コンテンツ閲覧者８，１３のＵＲＬと評価ポイント数をＷｅｂサーバ１６に配信する（ステップ１０５）。Ｗｅｂサーバ１６は、コンテンツ閲覧者８，１３の評価ポイント数とＷｅｂページコンテンツをコンテンツ提供者１に配信する（ステップ１０６）。コンテンツ評価結果集積装置１７は課金処理サーバ１９にアクセスし、サービス提供事業者１５の使用料金の割引サービスをなどを課金処理サーバ１９に行わせる（ステップ１０７）。これにより、コンテンツ提供者１は、使用料金の割引サービスなどの特典と、閲覧者８，１３から高い評価ポイントを受けてさらにコンテンツ情報作成に意欲と向上が図れる。
【図面の簡単な説明】
【００３１】
【図１】本発明の一実施形態のＷｅｂページコンテンツ提供者評価システムの構成を示す図である。
【図２】コンテンツ評価結果集積装置の構成を示すブロック図である。
【図３】図１のＷｅｂコンテンツ提供者評価システムの動作を示すフローチャートである。
【符号の説明】
【００３２】
１    コンテンツ提供者
２    コンテンツ提供者の情報通信端末
３，４    Ｗｅｂページコンテンツ
５，６    Ｗｅｂページコンテンツ評価欄
７    コンテンツ提供者の移動情報通信端末
８，１３    コンテンツ閲覧者
９，１４    コンテンツ閲覧者の情報通信端末
１０    コンテンツ閲覧者の携帯電話
１１    コンテンツ閲覧者のＰＤＡ
１２    コンテンツ閲覧者の移動情報通信端末
１５    サービス提供事業者
１６    サービス提供事業者のＷｅｂサーバ
１７    コンテンツ評価結果装置
１８    コンテンツ評価結果装置のＤＢ
１９    コンテンツ評価結果装置の課金処理サーバ
２０    アクセスライン網
２１    ＩＰ通信網
２２    移動通信網
２３    移動通信網内のゲートウェイ
２４    コンテンツ提供者ＵＲＬ登録・ＨＴＭＬファイル名設定部
２５    コンテンツ評価ポイント集計部
２６    コンテンツ評価部
２７    評価ポイント配信部
２８    課金処理アクセス部
１０１〜１０７    ステップ
【図１】
2005258550.tif 000003
【図２】
2005258550.tif 000004
【図３】
2005258550.tif 000005